(57)【要約】      （修正有）【課題】利用者が、情報提供システムである人物紹介サイト又は商品提供サイトと直接対話を持ち、安心安全に入会登録及び商品購入が可能になるチャット利用による紹介システムを提供する。【解決手段】チャット利用による紹介システムは、チャットシステム内蔵機器にパソコンと映像装置であるテレビカメラを一体として備付し、該テレビカメラによりチャットルームの室内及び紹介者である担当者をパソコンに映像表示させ、入会希望者がインターネットを通じて該チャットルームに接続して該映像と音声を見聞きし、且つ該入会希望者は該チャットルームの該担当者とインターネット上で直接会話をし、様々な情報を得て、安心をして希望する人物紹介サイトの入会及び商品購入ができる紹介システムである。【選択図】図１
0003145120.tif 000002
【実用新案登録請求の範囲】
【請求項１】
諸サイト及び出会い系サイトに入会する際、及び購入希望の商品を購入しようとする際に、入会しようとするサイトに関し、又は、商品購入のカタログのみの偏った情報不足から来る不安・懐疑・不信・詳細な商品の説明不足等を抱えたまま入会及び商品を購入するのでなく、チャットルームに接続して、その入会を希望するサイトの諸情報及び商品案内を映像と音声によってチャットルーム内での紹介者（チャットレディ又はチャットボーイ）から直接確かめて、安心して入会する、又は、商品購入をする方法を提供するシステム。
【請求項２】
上記の入会システム及び商品説明に関し、チャットルームでの接続に関しネット接続時において、紹介者に一度に多数の入会者が接続できる方法を提供するシステム。
【請求項３】
上記入会システムへのネットによる接続に関し、デスクトップ型パソコン、モバイルのノートブックパソコン及びモバイル携帯電話による３種類の接続ができる方法を提供するシステム。
【考案の詳細な説明】
【技術分野】
【０００１】  本発明は、コンピュータを使用してネットに接続して、ネットの各サイト上に設置公開したヴァーチャルショップ等の様々なサイトに入会、又は、商品購入をするに際し、文字を利用した書き込み及び読むのみの行為でなく、チャットルームで映像と音声により直接、サイト及び商品紹介者との対話をして、入会希望者（ユーザー）が入会を行なう、又は、商品を購入するシステム。
【背景技術】
【０００２】  従来のこの種の各種ネット上に公開したサイトに、入会を行なうのは文書による書面の閲覧及び入会者からの書き込みによる質問等を文書にて回答を受け、それらのやり取りを数回に及び行なって、ようやく入会希望者（ユーザー）は入会をするが、相手方の見えない書面のみのやり取りは、情報不足から来る不安・懐疑・不信等を取り除くことなく入会をしているのが現実である。これらの情報不足から来る不安・懐疑・不信等を取り除いて安心して、入会が行なえることが期待されているものである。
又、商品の購入に際しては、サイト上のカタログを見て注文をする方法が従来からの方法であるが、カタログでは表現できない詳細な取扱や効用を知らないままに商品を購入しているのが現実である。これらの情報不足から来る不安・懐疑・不信・詳細な商品説明不足等を取り除いて安心して、商品の購入が行なえることが期待されているものである。
【考案の開示】
【考案が解決しようとする課題】
【０００３】  上記の各問題点を解決するために、本発明のチャット利用によるサイト入会及び商品購入の紹介システムは、入会希望者（ユーザー）と入会を希望するサイト間において、映像と音声により紹介サイトのアシスタントを務めるチャットルーム（チャットボーイ、チャットレディ）に接続をして、入会者が直接映像と音声による紹介者とネット上にて会話をして、入会者が不安・懐疑・不信等を取り除いて納得をして入会をするシステムを提供する事を目的としている。
又、商品購入に際しての本紹介システムは上記と同様に、商品購入者が直接映像と音声による紹介者とネット上にて会話をして、購入者が不安・懐疑・不信・詳細な商品説明不足等を取り除いて納得をして商品を購入するシステムを提供する事を目的としている。
【考案が解決するための手段】
【０００４】  入会者（ユーザー）が所有するＵ−１（デスクトップパソコン）、Ｕ−２（ノートブックパソコン）、Ｕ−３（携帯電話機）から、ネット上に設置したチャットサイトに送信して接続し、該チャットを開くと、チャットルームが映像と音声とで接続され、そのチャットルームには、チャットレディ及びチャットボーイが映し出され、その姿を見ながら会話ができ、ユーザーが希望するサイトの諸情報を聞き出し紹介されて、安心をしてサイトに入会をするシステムであり、又、商品を購入しようとする者は、チャットルームに接続をして、商品を購入することができる。そして、チャット接続は極少の接続料をユーザーより徴収し、チャット映像には一部広告を掲載し、接続料と広告費を収益としてチャットルームを運営する。
【考案の効果】
【０００５】  本発明のシステムによれば、ネットに掲載された様々なサイトへの入会に関しては、チャットルームを利用して、入会サイトの紹介者より直接に入会するサイトの情報をチャット利用による映像と音声を使用して、より安心をして不安・懐疑・不信等を取り除いて入会できるシステムとしたものである。
又、ネットに掲載された様々な商品を購入するに関して、チャットルームを利用して、入会サイトの紹介者より直接に入会するサイトの情報をチャット利用による映像と音声を使用して、より安心をして不安・懐疑・不信・詳細な商品説明不足等を取り除いて商品を購入できるシステムとしたものである。
【考案を実施するための最良の形態】
【０００６】  チャットルームに、パソコンと映像装置であるテレビカメラを一体として備付、そのテレビカメラによりチャットルームの室内及び紹介者である人物をパソコンに映像表示をさせ、その映像と音声を、入会希望者（ユーザー）がネットを通じてチャットルーム内の映像と音声を見て聞くことが可能なように接続（受信及び送信）をする。入会希望者（ユーザー）は、ネット上に接続された映像と音声によりチャットルームのサイト紹介者と会話をして、様々なサイトに関する情報を得て、安心をして希望するサイトに入会ができるシステムである。
又、商品購入者に対しても上記と同様にして様々な商品情報を得て、安心をして商品を購入するシステムである。
【実施例】
【０００７】  次に、本発明の実施例を図面について説明すると、〔選択図１〕は、ユーザー（入会者）からＣＲのチャットルームにネットを通じて接続をして、入会サイトの情報をネットを通じて事前に入手しているチャットルームより、入会希望サイトの情報又は、商品購入の情報をチャットの映像と音声によるチャットボーイ及びチャットレディから直接見て聞いて、チャットルームとユーザーとの間の点線部分のように情報を得る。その上で、安心して入会及び商品を購入するシステム。
〔選択図２〕は、ユーザーからチャットルームに接続する際のチャットサーバーは、一度に多数のユーザーから接続できるようにしたシステム。
【図面の簡単な説明】
【０００８】
【図１】  本発明のシステム全体図である。
【図２】  本発明のチャットルームサーバーの基本的ユーザーとの接続概要図である。
【図１】
0003145120.tif 000003
【図２】
0003145120.tif 000004
【手続補正書】
【提出日】平成20年6月20日(2008.6.20)
【手続補正１】
【補正対象書類名】実用新案登録請求の範囲
【補正対象項目名】全文
【補正方法】変更
【補正の内容】
【実用新案登録請求の範囲】
【請求項１】
インターネットを装備したデスクトップ型パソコン（７）、ノートブック型パソコン（８）又は携帯電話機（９）からインターネットシステム（１）を設け、該インターネットシステム（１）には、発信機（５）及び受信機（６）を収納したチャットシステム内蔵機器（２）に接続し、該チャットシステム内蔵機器（２）には専用の情報提供システム（３）を接続する事を特徴とするチャット利用による紹介システム。
【請求項２】
発信機（５）及び受信機（６）を収納したチャットシステム内蔵機器（２）には、一度に多数の利用者が接続できる情報提供システム（３）を接続した請求項１記載のチャット利用による紹介システム。
【手続補正２】
【補正対象書類名】明細書
【補正対象項目名】全文
【補正方法】変更
【補正の内容】
【考案の詳細な説明】
【技術分野】
【０００１】  本考案は、インターネット上における入会登録及び商品購入を、チャットシステム内蔵機器での映像と音声により、利用者が、情報提供システムである人物紹介サイト又は商品提供サイトと直接対話を持ち、安心安全に入会登録及び商品購入が可能になるチャット利用による紹介システムに関するものである。
【背景技術】
【０００２】  従来この種のインターネット上に公開した人物紹介サイトに対して、入会登録する際、サイトとの文書による書面での数回のやり取りを経てようやく登録されるが、相手方の見えない書面のみのやり取りは、情報不足から来る不安や懐疑、不信等を伴ったまま行われているのが実情である。これらを取り除いて安心して登録出来ることが期待されている。
また、商品の購入に際しては、商品提供サイトのカタログを見て注文をする方法が従来からの方法であるが、カタログで表現できない詳細な取扱いや効用を知らないままに商品を購入している現実である。これらの不安や懐疑、不信又は詳細な商品説明不足等を取り除いて、安心して商品の購入が行えることが期待されている現状である。
【考案の開示】
【考案が解決しようとする課題】
【０００３】  上記各問題点を解決するために、本考案のチャット利用による紹介システムは、その主たる目的とする所は、インターネット上における入会登録を、アシスタントを務めるチャットサーバーに接続をして、入会者が、映像と音声により人物紹介サイトとインターネット上で直接会話をして、入会者の不安や懐疑、不信等を取り除いて納得して入会登録できるシステムを提供する。また、商品の購入に際しては、本紹介システムは、上記と同様に、商品購入者が、映像と音声により商品提供サイトとインターネット上で直接会話をして、不安や懐疑、不信又は商品説明不足等を取り除いて納得して商品を購入する事を目的としたものである。
【課題を解決するための手段】
【０００４】  本考案は上記目的を達成するために、利用者がデスクトップ型パソコン、ノートブック型パソコン又は携帯電話機で、インターネットにより、発信機及び受信機を収納したチャットシステム内蔵機器のあるサーバーに接続し、人物紹介サイト又は商品提供サイトと、映像と音声により直接対話を持ち入会登録又は商品購入ができるものである。
【考案の効果】
【０００５】  従来の入会登録には、相手方が見えないため、情報不足のまま行われているのが実情であった。本考案のチャット利用による紹介システムによれば、チャットシステム内蔵機器を接続することにより、インターネット上に設置された専用チャットルームを介して、人物紹介サイトとの映像と音声による直接対話を持つことができるため、情報不足から来る不安や懐疑、不信等を取り除いて入会することが出来る効果がある。
商品の購入に際しては、本紹介システムは、上記と同様に、商品提供サイトと映像と音声によるインターネット上で直接対話を持つことができるため、不安や懐疑、不信又は商品説明不足等を取り除いて納得して商品を購入することが出来る効果がある。
更に専用のチャットシステム内蔵機器との接続により、書面によるやり取りに掛かる日数や手間が省けるという効果と、該チャットシステム内蔵機器は一度に多数の利用者との接続が可能なため、待たされないので時間の無駄が無いという効果もある。
【考案を実施するための最良の形態】
【０００６】  以上の様に構成されたチャット利用による紹介システムは、チャットシステム内蔵機器にパソコンと映像装置であるテレビカメラを一体として備付し、該テレビカメラによりチャットルームの室内及び紹介者である担当者をパソコンに映像表示させ、入会希望者がインターネットを通じて該チャットルームに接続して該映像と音声を見聞きし、且つ該入会希望者は該チャットルームの該担当者とインターネット上で直接会話をし、様々な情報を得て、安心をして希望する人物紹介サイトに入会ができる紹介システムである。
また、商品購入に際しても上記と同様にして、様々な商品情報を得て、安心して商品を購入する紹介システムである。
【実施例】
【０００７】  次に、本考案の実施例を図面について説明すると、図１に示すものは、インターネットシステム（１）は、デスクトップ型パソコン（７）、ノートブック型パソコン（８）又は携帯電話機（９）等より構成されている。該インターネットシステム（１）の各々とチャットシステム内蔵機器（２）にインターネットを通じて矢印の如く接続してある。
また、多数の情報提供システム（３）よりの情報をインターネットを通じて事前に入手している該チャットシステム内蔵機器（２）より、情報提供システム（３）の入会情報、又は、商品購入の情報を、映像と音声によって点線の矢印の如く得るものである。
図２に示すものは、インターネットシステム（１）からチャットシステム内蔵機器（２）に接続する際のサーバーは、矢印に示す如く、一度に多数の利用者から接続できるようにしたシステムである。該チャットシステム内蔵機器（２）には、内部に発信機（５）及び受信機（６）が収納されている。符号（１０）は利用者、（１１）はチャットルームにおける、情報を直接説明する担当者である。
【図面の簡単な説明】
【０００８】
【図１】  本考案のシステムの全体図である。
【図２】  同じく本考案のチャットシステム内蔵機器のあるサーバーの基本的なインターネットシステムとの接続概要図である。
【符号の説明】
【０００９】  １          インターネットシステム
２          チャットシステム内蔵機器
３          情報提供システム
５          発信機
６          受信機
７          デスクトップ型パソコン
８          ノートブック型パソコン
９          携帯電話機
１０          利用者
１１          担当者
【手続補正３】
【補正対象書類名】図面
【補正対象項目名】全図
【補正方法】変更
【補正の内容】
【図１】
0003145120.tif 000005
【図２】
0003145120.tif 000006